(57)【要約】      （修正有）【課題】放熱効果に優れ、熱伝導効率が向上し、フィン構造の強度が高い水冷ラジエーター構造を提供する。【解決手段】水冷ラジエーター構造２は、第一蓋部品２１、第二蓋部品２２及び複数の放熱部品２４ａを重畳して形成する水冷ラジエーター本体２４を含む。該第一蓋部品２１、複数の放熱部品２４ａと該第二蓋部品２２は順に重畳し、熱処理方式で連接して一体にする。該第一、二蓋部品２１、２２の一側は、それぞれ該水冷ラジエーター本体２４の上側及び下側に連接し、水冷ラジエーター本体２４内の内部に複数のスポイラー区を設置した少なくとも一流路の最上側と底側をシーリングするのに用いる。第一結合部は第一蓋部品上か、もしくは水冷ラジエーター本体２４の一端を選択して設置し、第二結合部は第一蓋部品上もしくは水冷ラジエーター本体２４の別一端を選択して設置し、該第一、二結合部は該流路と連通する。【選択図】図２
0003208561.tif 000002
【実用新案登録請求の範囲】
【請求項１】
第一蓋部品、第二蓋部品及び複数の放熱部品を含む水冷ラジエーター構造において、
水冷ラジエーター本体を重畳して形成し、少なくとも一溝槽及び複数のスポイラー部を備え、該溝槽は各該放熱部品上で貫通し、該複数のスポイラー部は該溝槽内に設置し，且つ該複数の溝槽は少なくとも一流路を重畳して成形し、該複数のスポイラー部は該流路内に位置する複数のスポイラー区を重畳して成形する複数の放熱部品と
一側を該水冷ラジエーター本体に対応する上側及び下側にそれぞれ連接し、該流路の最上側と底側をシーリングし、第一結合部は該第一蓋部品上か、もしくは該水冷ラジエーター本体の一端を選択して設置し、第二結合部は該第一蓋部品上か、もしくは該水冷ラジエーター本体の別一端を選択して設置する第一、二蓋部品を含むことを特徴とする水冷ラジエーター構造。
【請求項２】
前記各放熱部品は、複数の第一フィン部を備え、該複数の第一フィン部は該溝槽に隣接する各側辺から外向きに突出して構成し，且つ該複数の第一フィン部は相互間で貫通孔部を形成することを特徴とする請求項１記載の水冷ラジエーター構造。
【請求項３】
前記第一、二結合部は、該第一蓋部品上にそれぞれ設置し、且つ第一導水孔及び第二導水孔をそれぞれ備え、該第一、二導水孔をそれぞれ貫通して形成し、且つ該第一、二導水孔は該水冷ラジエーター本体の該流路に相対する一端と別一端にそれぞれ連通することを特徴とする請求項２記載の水冷ラジエーター構造。
【請求項４】
前記第一、二結合部は、それぞれ該水冷ラジエーター本体の該流路の一端と別一端箇所に成形し、且つ該流路に相対する一端と別一端にそれぞれ連通することを特徴とする請求項２記載の水冷ラジエーター構造。
【請求項５】
前記各スポイラー部は、形状がＶ字状、斜線状もしくはその他形状であり、該各放熱部品の各複数のスポイラー部は、隣接する他の放熱部品の複数のスポイラー部と双方向で相反して重畳し、複数のスポイラー区を構成することを特徴とする請求項３記載の水冷ラジエーター構造。
【請求項６】
前記複数のスポイラー部は凸体で、該各スポイラー区の該複数のスポイラー部は該流路内の周壁上に環状凸状に重畳することを特徴とする請求項３記載の水冷ラジエーター構造。
【請求項７】
前記第一蓋部品は、少なくとも一第一流路蓋部及び複数の第二フィン部を備え、該複数の第二フィン部は、該第一流路蓋部の側辺から外向きに突出して構成し、並びに該第一流路蓋部の一側は該水冷ラジエーター本体に対応する上側と相互に連接し、該流路に相対する最上側をシーリングし、且つ該第一、二結合部は、それぞれ該第一流路蓋部の前端と末端上に設置することを特徴とする請求項３記載の水冷ラジエーター構造。
【請求項８】
前記第二蓋部品は、少なくとも一第二流路蓋部及び複数の第三フィン部を備え、該第二流路蓋部の一側は該水冷ラジエーター本体に対応する下側と相互に連接し、該流路の底側をシーリングし、該複数の第三フィン部は該第二流路蓋部の側辺から外向きに突出して構成することを特徴とする請求項７記載の水冷ラジエーター構造。
【請求項９】
前記第一蓋部品は、少なくとも一第一流路蓋部及び複数の第二フィン部を備え、該第一流路蓋部の一側は、該水冷ラジエーター本体に対応する上側と相互に連接し、該流路に相対する最上側をシーリングすることを特徴とする請求項４記載の水冷ラジエーター構造。
【請求項１０】
前記第二蓋部品は、少なくとも一第二流路蓋部及び複数の第三フィン部を備え、該第二流路蓋部の一側は該水冷ラジエーター本体に対応する下側と相互に連接し、該流路の底側をシーリングし、該複数の第三フィン部は該第二流路蓋部の側辺から外向きに突出して構成することを特徴とする請求項９記載の水冷ラジエーター構造。
【請求項１１】
前記第一、二蓋部品は、それぞれ金属材から構成された片体で、該複数の放熱部品は、金属材から構成された片体で、該第二蓋部品と該複数の放熱部品及び該第一蓋部品は、下から上向きに順に重畳して熱処理方式で連接一体し、該水冷ラジエーター構造を構成することを特徴とする請求項１記載の水冷ラジエーター構造。
【請求項１２】
第一蓋部品、一第二蓋部品及び複数の放熱部品を含む水冷ラジエーター構造において、
水冷ラジエーター本体を重畳して形成し、複数の溝槽、複数のスポイラー部及び複数の溝槽を連通した少なくとも一連通槽を備え、該複数の溝槽と該連通槽は各上部で貫通し、該複数のスポイラー部は各該溝槽内に設置し、且つ該複数の溝槽は複数の流路を重畳形成し、該複数のスポイラー部は各該流路内に複数のスポイラー区を重畳形成し、該複数の連通槽は連通水路を重畳形成する複数の放熱部品と、
一側を該水冷ラジエーター本体に対応する上側及び下側にそれぞれ連接し，該複数の流路と該連通水路の最上側と底側をシーリングし、第一結合部は該第一蓋部品上か、もしくは該水冷ラジエーター本体の該連通水路に対応する一側を選択して設置し、複数の第二結合部は該第一蓋部品上か、もしくは該複数の流路の該連通水路に遠い一端を選択して設置する第一、二蓋部品を含むことを特徴とするの水冷ラジエーター構造。
【請求項１３】
前記各放熱部品は、複数の第一フィン部を備え、外向きに突出して構成し，且つ該複数の第一フィン部の相互間には貫通孔部を形成することを特徴とする請求項１２記載の水冷ラジエーター構造。
【請求項１４】
前記第一結合部と該複数の第二結合部は、該第一蓋部品上にそれぞれ設置し、且つ第一導水孔を備え、該各第二結合部は第二導水孔を備え、該第一導水孔と各該第二導水孔は、それぞれ該第一結合部及び各該第二結合部上に対応して貫通し、且つ該第一導水孔と各該第二導水孔は、それぞれ該連通水路と各該流路の一端に相対して連通し、該連通水路は該複数の流路を連通することを特徴とする請求項１３記載の水冷ラジエーター構造。
【請求項１５】
前記第一結合部と該複数の第二結合部は、それぞれ該水冷ラジエーター本体の該連通水路に対応する一側と該複数の流路の該連通水路に遠い一端に成形し、且つ該第一結合部と各該第二結合部は、該連通水路と各該流路に相対する一端にそれぞれ連通し、並びに該複数の流路の別一端は、該連通水路に相対して連接し且つ相互に連通することを特徴とする請求項１３記載の水冷ラジエーター構造。
【請求項１６】
前記各スポイラー部の形状は、Ｖ字状、斜線状もしくはその他形状で、該各放熱部品の該複数のスポイラー部は、隣接する他の放熱部品の複数のスポイラー部と双方向で相反して重畳し、複数のスポイラー区を構成することを特徴とする請求項１３記載の水冷ラジエーター構造。
【請求項１７】
前記複数のスポイラー部は凸体で，該各スポイラー区の該複数のスポイラー部は各該流路内の周壁上に環凸状に重畳することを特徴とする請求項１３記載の水冷ラジエーター構造。
【請求項１８】
前記第一蓋部品は、複数の第一流路蓋部、一第一水路蓋部及び複数の第二フィン部を備え、該複数の第一流路蓋部と該第一水路蓋部の一側は、該水冷ラジエーター本体に対応する上側と相互に連接し、該複数の流路と該連通水路に相対する最上側をシーリングし、並びに該第一結合部は該第一水路蓋部上に設置し、該複数の第二結合部は、該複数の第一流路蓋部の該第一水路蓋部に遠い一端に設置することを特徴とする請求項１５記載の水冷ラジエーター構造。
【請求項１９】
前記第二蓋部品は、複数の第二流路蓋部、第二水路蓋部及び複数の第三フィン部を備え、該複数の第二流路蓋部と該第二水路蓋部の一側は、それぞれ該水冷ラジエーター本体に対応する下側と相互に連接し、該複数の流路の底側と該連通水路の底側をシーリングし、該複数の第三フィン部は各該第二流路蓋部の側辺から外向きに突出して構成することを特徴とする請求項１８記載の水冷ラジエーター構造。
【請求項２０】
前記第一蓋部品は、複数の第一流路蓋部、一第一水路蓋部及び複数の第二フィン部を備え、該複数の第一流路蓋部と該第一水路蓋部の一側は、該水冷ラジエーター本体に対応する上側と相互に連接し、該複数の流路と該連通水路に相対する最上側をシーリングすることを特徴とする請求項１５記載の水冷ラジエーター構造。
【請求項２１】
前記第二蓋部品は、複数の第二流路蓋部、第二水路蓋部及び複数の第三フィン部を備え、該複数の第二流路蓋部と該第二水路蓋部の一側は、それぞれ該水冷ラジエーター本体に対応する下側と相互に連接し、該複数の流路の底側と該連通水路の底側をシーリングし、該複数の第三フィン部は各該第二流路蓋部の側辺から外向きに突出して構成することを特徴とする請求項２０記載の水冷ラジエーター構造。
【考案の詳細な説明】
【技術分野】
【０００１】
本考案は、水冷ラジエーター構造に関するもので、特に良好な放熱効果を備える水冷ラジエーター構造である。
【背景技術】
【０００２】
コンピューターインフォメーション等高科学技術産業が高速発展し、その応用範囲の拡大に伴い、コンピューターのデーター処理のスピードは益々高まっている。
現在、コンピューター設備の内部の電子部品の体積はマイクロ化しており、集積回路 (Integrａted circuit、IC)の密集度も相対して高まり、それに伴い単位面積の熱量も上がっている。もしも、電子部品が発した熱を排除することができなければ、電子部品は壊れ、コンピューターが運転できなくなる。
【０００３】
発熱する電子部品の温度を下げるため、市場では水冷式装置が現れ、ラジエーターによって二水導管を通ってポンプ(Pump)及び水冷ヘッドに連接し、ポンプ(Pump)によって水冷液(もしくは工作液体とする)をラジエーター上に流して放熱し、繰り返し冷却循環させることでスピーディに熱を取り去る。
図１に示すとおり、公知のラジエーター１は、主に三個の独立した部品から構成され、即ち複数の湾曲した放熱フィン１１、複数の扁平管１２及び二側水槽１３から構成される。該複数の放熱フィン１１は該複数の扁平管１２の間に設置し、且つ該複数の放熱フィン１１は湾曲状で湾曲点外側と該複数の扁平管１２に隣接して対応する外側の間はハンダ付けで構成し、二者だけが接触し、前述の二側水槽１３と相互にハンダ付けした後の該複数の放熱フィン１１と該複数の扁平管１２の両側もハンダ付けされ、該二側水槽１３と該複数の放熱フィン１１及び該複数の扁平管１２が連接しラジエーター１を構成する。
そのうちの一側水槽１３上には入水口１３１と出水口１３２を設置し、該入水口１３１は出水口１３２と、それぞれ二水導管(図中未提示)に相対して連接する。
【０００４】
公知のラジエーター４の該複数の扁平管１２内の工作液体の熱量は該複数の放熱フィン１１上へ伝導して放熱するが、それに依る問題として、工作液体の熱量が該複数の放熱フィン１１へ伝わる熱伝導効率が良くない。
なぜなら、該複数の放熱フィン１１と該複数の扁平管１２は二個の独立部品がはんだ付けして構成するため、該複数の放熱フィン１１は該複数の扁平管１２本体の一部ではなく、該複数の扁平管１２が熱量を該複数の放熱フィン１１に伝える間には熱抵抗現象が起こり、該複数の扁平管１２の水冷液が吸収した熱量を両側の該複数の放熱フィン１１上に伝導する熱伝導効率が良くなくなり、更にラジエーター１全体の解熱機能が下がる(もしくは熱交換効率が下がる)問題が起こる。
その他、該複数の放熱フィン１１は湾曲点の外側と両側の扁平管１２外側を相互にハンダ付けするため、該複数の放熱フィン１１の中間部位１１１構造の強度が弱くなるため、外力に拠って壊れやすくなる(例として変形)という問題が発生し、且つそれら扁平管１２と該複数の放熱フィン１１の間の伝導效果も非常に理想的でない。
【先行技術文献】
【特許文献】
【０００５】
【特許文献１】特開２００５−１７８６８２
【考案の概要】
【考案が解決しようとする課題】
【０００６】
解決しようとする問題点は、熱伝導率が悪い点である。更に、公知ラジエーターは、三つの独立した部品から構成されるため、組立工程が煩雑になり、時間と人的労力がかかる問題があり、更には水漏れしやすいと言う問題もある。
【課題を解決するための手段】
【０００７】
本考案は、第一蓋部品、第二蓋部品及び複数の放熱部品を重畳して形成する水冷ラジエーター本体を含む。該第一蓋部品、複数の放熱部品と該第二蓋部品は順に重畳し、熱処理方式で連接して一体にする。該第一、二蓋部品の一側は、それぞれ該水冷ラジエーター本体の上側及び下側に連接し、水冷ラジエーター本体内の内部に複数のスポイラー区を設置した少なくとも一流路の最上側と底側をシーリングするのに用いる。
第一結合部は第一蓋部品上か、もしくは水冷ラジエーター本体の一端を選択して設置し、第二結合部は第一蓋部品上もしくは水冷ラジエーター本体の別一端を選択して設置し、該第一、二結合部は該流路を連通することを最も主要な特徴とする。
【考案の効果】
【０００８】
本考案の水冷ラジエーター構造は、放熱効果に優れ、熱伝導効率が向上し、フィン構造の強度が高いという利点がある。
【図面の簡単な説明】
【０００９】
【図１】公知のラジエーター組立立体指示図である。
【図２】本考案の第一実施例の分解立体指示図である。
【図２Ａ】本考案の図２の局部拡大指示図である。
【図２Ｂ】本考案の図２の局部拡大指示図である。
【図３Ａ】本考案の第一実施例の組立立体指示図である。
【図３Ｂ】本考案の第一実施例部断面の俯瞰指示図である。
【図４】本考案の第一実施例の別一分解立体指示図である。
【図５】本考案の第二実施例の分解立体指示図である。
【図６Ａ】本考案の第二実施例の組立立体指示図である。
【図６Ｂ】本考案の第二実施例の一部断面の俯瞰指示図である。
【図７】本考案の第二実施例の別一分解立体指示図である。
【考案を実施するための形態】
【００１０】
上述の問題を改善するため、放熱効果に優れた水冷ラジエーター構造を提供することを本考案の目的とする。
【００１１】
熱伝導効率が向上し、フィン構造の強度が高い水冷ラジエーター構造を提供することを本考案の別の目的とする。
【００１２】
上述の問題を達成するため、本考案が提供するのは、第一蓋部品、第二蓋部品及び該複数の放熱部品を重畳して形成した水冷ラジエーター本体を含む。該各放熱部品は少なくとも一溝槽及び複数のスポイラー部を備え、該溝槽は各該放熱部品上で貫通する。該複数のスポイラー部は該溝槽内に設置し、且つ該複数の溝槽は少なくとも一流路に重畳して形成し、該複数の放熱部品に設置した該複数のスポイラー部は該流路内に複数のスポイラー区を重畳し、更に該第一、二蓋部品の一側は、それぞれ該水冷ラジエーター本体に対応する上側及び下側に連接し、該流路の最上側と底側をシーリングする。
第一結合部は該第一蓋部品上か、もしくは該水冷ラジエーター本体の一端を選択して設置し、第二結合部は該第一蓋部品上か、もしくは該水冷ラジエーター本体の別一端を選択して設置する。本考案の当構造を通じて、良好な解熱効果を達成する。
【００１３】
本考案は、別の水冷ラジエーター構造を提供する。それは第一蓋部品、第二蓋部品及び複数の放熱部品を含む。該複数の放熱部品は水冷ラジエーター本体を重畳して形成し、該各放熱部品は複数の溝槽、複数のスポイラー部及び複数の溝槽を連通した少なくとも一連通槽を備える。該複数の溝槽は各該放熱部品上に貫通し、該複数のスポイラー部は該溝槽内に設置し、且つ該複数の放熱部品の該複数の溝槽は複数の流路を重畳形成し、該複数のスポイラー部は各該流路内に複数のスポイラー区を重畳形成する。該複数の連通槽は連通水路を重畳形成し、並該第一、二蓋部品の一側は、該水冷ラジエーター本体に対応する上側及び下側にそれぞれ連接し、該流路と該連通水路の最上側と底側をシーリングする。第一結合部は該第一蓋部品上もしくは該水冷ラジエーター本体の該連通水路に対応する一側を選択して設置し、複数の第二結合部は該第一蓋部品上か、もしくは該複数の流路の該連通水路に遠い一端を選択して設置する。本考案の当構造を通じて、良好な解熱効果を達成する。
【００１４】
一実施として、該各放熱部品は、複数の第一フィン部を備え，該複数の第一フィン部は、該溝槽に隣接する各該放熱部品の側辺から外向きに突出して構成し，且つ該複数の第一フィン部の相互間には貫通孔部を形成する。
【００１５】
一実施として、該第一、二結合部は、該第一蓋部品上にそれぞれ設置し，且つ該第一、二結合部は第一導水孔及び第二導水孔をそれぞれ備え，該第一、二導水孔は該第一、二結合部上にそれぞれ貫通して形成し、且つ該第一、二導水孔は該水冷ラジエーター本体の該流路に相対する一端と別一端に連通する。
【００１６】
一実施として、該第一、二結合部は、該水冷ラジエーター本体の該流路の一端と別一端箇所にそれぞれ成形し、且つ該第一、二結合部は、該流路に相対する一端と別一端にそれぞれ連通する。
【００１７】
一実施として、該各スポイラー部の形状はＶ字状、斜線状、湾曲状か、もしくはその他幾何形状であり、該各放熱部品の該複数のスポイラー部と該別一放熱部品に隣接する該複数のスポイラー部は、双方向相反し、前述の複数のスポイラー区を重畳して構成する。
【００１８】
一実施として、該複数のスポイラー部は凸体で，該各スポイラー区の該複数のスポイラー部は該流路内の周壁に環凸状に重畳する。
【００１９】
一実施として、該第一蓋部品は、少なくとも一第一流路蓋部及び複数の第二フィン部を備え、該第一流路蓋部の一側は、該水冷ラジエーター本体に対応する上側と相互に連接し，該流路に相対する最上側をシーリングする。更に該第一、二結合は、該第一流路蓋部の前端と末端上にそれぞれ設置し、更に該複数の第二フィン部は該第一流路蓋部の側辺から外向きに突出して構成する。
【００２０】
一実施として、該第二蓋部品は、少なくとも一第二流路蓋部及び複数の第三フィン部を備え、該第二流路蓋部の一側は該水冷ラジエーター本体に対応する下側と相互に連接し、該流路の底側にシーリングし、該複数の第三フィン部は該第二流路蓋部の側辺から外向きに突出して構成する。
【００２１】
一実施として、該第一、二蓋部品は、それぞれ金属材から構成された片体で、該複数の放熱部品も金属材から構成された片体で，該第二蓋部品と該複数の放熱部品及び該第一蓋部品は、下から上向きに順に重畳して熱処理方式で連接一体し、該水冷ラジエーター構造を構成する。
【実施例１】
【００２２】
本考案の上述目的及びその構造と機能上の特性を図式と共に実施例を挙げて説明する。
【００２３】
本考案は、水冷ラジエーター構造を提供する。図２、３Ａに示すのは、本考案の第一実施例の分解と組立立体指示図であり、図２Ａ、２Ｂも参考とする。該水冷ラジエーター構造２は第一蓋部品２１、第二蓋部品２２、第一結合部２５、第二結合部２６及び複数の放熱部品２４ａを含み、該複数の放熱部品２４ａは水冷ラジエーター本体２４に重畳して形成し、該複数の放熱部品２４ａは当実施例では金属製(例として銅、アルミニウム、ステンレス、マグナリウム、チタンか、もしくはその他展延性がよく、導熱性が良い材料もしくはその他複合材料等)の片体で実施する。
該各放熱部品２４ａは少なくとも一溝槽２４２ａ、複数の第一フィン部２４１ａ及び複数のスポイラー部２４４ａを備え、該複数の第一フィン部２４１ａは、該溝槽２４２ａに隣接する各該放熱部品２４ａの両側辺から外向きに突出して構成し、吸収した熱量を外向きに排出するのに用い、且つ該複数の第一フィン部２４１ａ間には貫通孔部２４８ａを形成し、該貫通孔部２４８ａは外の空気流体を通過させるのに用い、外の空気流体と対応する第一フィン部２４１ａを迅速に熱交換して放熱する。更に前述の溝槽２４２ａは当実施例では前述の放熱部品２４ａ上に１筋の湾曲状の溝槽２４２ａを有し、該溝槽２４２ａは各該放熱部品２４ａ上で貫通し、且つ該溝槽２４２ａの両端(即ち前端と末端)はそれぞれ各該放熱部品２４ａの同一側に設置し、該複数の溝槽２４２ａは少なくとも一流路２４６ａに重畳して形成し，該流路２４６ａは、当実施例において、１筋の湾曲状の流路２４６ａとして実施する。具体実施の時、前述の溝槽２４２ａは事前に放熱や空間の求めに応じて溝槽２４２ａの数量、例えば２個以上を設置してもよく、且つ前述の溝槽２４２ａの形状も円弧状、Ｗ字形状、またはＶ字形状もしくはその他形状を選択しても良い。
【００２４】
該複数のスポイラー部２４４ａは、各該放熱部品２４ａの溝槽２４２ａ内に一体連接し、該複数の放熱部品２４ａの該複数のスポイラー部２４４ａは、該流路２４６ａ内に位置する複数のスポイラー区２４５ａを重畳して成形し、且つ該各スポイラー部２４４ａの形状は、当実施例においては斜線状とし、該各放熱部品２４ａの複数のスポイラー部２４４ａは左斜線状で、隣接する該別一各放熱部品２４ａの該複数のスポイラー部２４４ａが右斜線状の方向であるのと相反し、且つ下から上に向かって表裏交互に前述のスポイラー区２４５ａの交叉状に重畳して構成する(図３Ｂ参照)。実施例として、前述の各スポイラー部２４４ａの形状はＶ字状、湾曲状もしくはその他形状でもよい。
例として、各放熱部品２４ａのスポイラー部２４４ａは、正Ｖ字状で相互に隣接する別一各放熱部品２４ａのスポイラー部２４４ａの逆Ｖ字状の方向と相反し、且つ下から上に向かって表裏交互に前述のスポイラー区２４５ａを重畳して構成する。また一実施例では、前述の各スポイラー部２４４ａは凸体であり、該各スポイラー区２４５ａの該複数のスポイラー部２４４ａは、該流路２４６ａ内の周壁上に環状凸状に重畳する。
拠って、工作液体(例として純水もしくはその他水冷液)が該流路２４６ａを経て該複数のスポイラー区２４５ａ内を通過する時，該工作液体が該スポイラー部２４４ａに流れてぶつかり、渦巻きを形成し、工作液体の流動速度を抑え、流動時間を延ばす。
【００２５】
並びに該第一、二蓋部品２１、２２及び該複数の放熱部品２４ａは、重畳して該水冷ラジエーター構造２を構成する。言い換えると、該第二蓋部品２２と該複数の放熱部品２４ａ及び該第一蓋部品２１は、下から上に向かって順に重畳し、熱処理方式（例として雰囲気炉もしくは真空炉もしくはその他材料に基づき適する熱処理方式）で連接して一体にし、該水冷ラジエーター構造２を構成する。並びに該第一、二蓋部品２１、２２の一側は該水冷ラジエーター本体２４に対応する上側及び下側にそれぞれ連接し、該流路２４６ａの最上側と底側をシーリングする。
代替実施例として、２筋以上の前述の流路２４６ａを成形してもよく、且つ該流路２４６ａの数は各放熱部品２４ａ１上の溝槽２４２ａの数に応じて仕切り形成する。例えば各放熱部品２４ａの上には２本(もしくは２個)の溝槽２４２ａがあり、２本(もしくは２個)の流路２４６ａを重畳し、それに類する。
【００２６】
前述の第一蓋部品２１について在当実施例では金属製(例として銅、アルミニウム、ステンレス、マグナリウム、チタンもしくはその他展延性がよく、導熱性が良い材料もしくはその他複合材料等)の片体とし、該第一蓋部品２１は少なくとも一第一流路蓋部２１１及び複数の第二フィン部２１２を備える。
該複数の第二フィン部２１２は該第一流路蓋部２１１の側辺から外向きに突出して構成し、且つ該第一フィン部２４１ａに相対する。該第一流路蓋部２１１は該流路２４６ａに対応し、並びに該第一流路蓋部２１１の一側と該水冷ラジエーター本体２４に対応する上側は相互に連接し、該流路２４６ａに相対する最上側をシーリングする。前述の第二蓋部品２２について当実施例では金属製(例として銅、アルミニウム、ステンレス、マグナリウム、チタン等)の片体とし、且つ第二蓋部品２２は少なくとも一第二流路蓋部２２１及び複数の第三フィン部２２２を備え、該複数の第三フィン部２２２は該第二流路蓋部２２１の側辺から外向きに突出して構成し、且つ該第一フィン部２４１ａに相対し、並びに該第二流路蓋部２２１の一側と該水冷ラジエーター本体２４に対応する下側は相互に連接し、該流路２４６ａの底側をシーリングする。そのうち前述の第二、三フィン部は吸収した熱量を外向きに排出するのに用いる。
【００２７】
他に、前述の第一結合部２５は、該第一蓋部品２１上か、もしくは該水冷ラジエーター本体２４の一端に選択して設置する。本実施の第一結合部２５は、該水冷ラジエーター本体２４の流路２４６ａの一端に成形して設置し、また該第二結合部２６は該第一蓋部品２１上か、もしくは該水冷ラジエーター本体２４の別一端に選択して設置する。本実施の第二結合部２６は該水冷ラジエーター本体２４の流路２４６ａの別一端に成形して設置する。
並びに、前述の第一結合部２５は工作液体(例として純水もしくはその他水冷液)を導き、対応する該流路２４６ａ内に入れるのに用い、その後、該第二結合部２６から排出する。また該第一、二結合部２５、２６は該流路２４６ａに相対する一端と別一端にそれぞれ連通し、且つ第一結合部２５は該流路２４６ａを通して該第二結合部２６に連通する。実施例として、図４及び図３Ｂを参考にするとおり、前述の第一、二結合部２５、２６は該第一蓋部品２１上にそれぞれ選択して設置し、また該第一、二結合部２５、２６は前述の第一蓋部品２１の第一流路蓋部２１１の前端と末端上にそれぞれ成形し、並びに該第一、二結合部２５、２６はそれぞれ第一導水孔２５１及び第二導水孔２６１を備え、該第一、二導水孔２５１、２６１はそれぞれ該第一、二結合部２５、２６上で貫通し、且つ該第一、二導水孔２５１、２６１は該水冷ラジエーター本体２４の該流路２４６ａに相対する一端と別一端にそれぞれ連通する。
【００２８】
本考案を実際に実施する時、該第一、二結合部２５、２６は、二導水管(図未提示)を通じ、それぞれ水冷ヘッド(図未提示)に対応する出口及び進入口と相互に連接し且つ連通し、該水冷ヘッドの一側が吸熱面となって接触し、発熱部品(例として中央処理装置もしくはグラフィックスチップ)の熱量を吸収する。
その時、該水冷ヘッド内の工作液体は前述の熱量を吸収し、並びに該水冷ヘッド内のポンプ（もしくは水冷ヘッドに外付けしたポンプ）が熱量を吸収した工作液体を伴い、該第一結合部２５を通じて該水冷ラジエーター本体２４の流路２４６ａ内へ流れ、湾曲状の流路２４６ａに沿って該流路２４６ａの別一端方向へ流れると同時に，該工作液体が吸収された熱量は該複数の第一、二、三フィン部２４１ａ、２１２、２２２上に伝導し、該複数の第一、二、三フィン部２４１ａ、２１２、２２２によって放熱され、冷卻後の工作液体は再び該第二結合部２６から排出されて水冷ヘッド内へ戻るというルートを継続循環し、水冷放熱効果を達成する。
【００２９】
また、一実施例として、該水冷ラジエーター構造２はファン(図未提示)を対応して設置し、該ファンは該水冷ラジエーター構造２に相対する上方箇所に設置し、該ファンが該水冷ラジエーター構造２に対応することで強制放熱する。
【００３０】
本考案の各放熱部品２４ａには該溝槽２４２ａと該複数の第一フィン部２４１ａを成形し、及び該第一、二蓋部品２１、２２には該複数の第二、三フィン部を成形する設計によって、工作液体の熱量が各放熱部品２４ａから直接自身の該複数の第一フィン部２４１ａに伝導し、及び該第一、二蓋部品２１、２２から直接自身の該複数の第二、三フィン部２１２、２２２へ伝導し、熱伝導効率全体を大幅に向上させ、更に解熱効率が良くなる。
その他、本考案の該第一、二蓋部品２１、２２及び該複数の放熱部品２４ａの重畳連接一体設計によって、水冷ラジエーター構造全体の構造強度を高め、放熱効果を良くする。更に、湾曲状の流路２４６ａによって、該工作液体が該流路２４６ａ内で流動する時間が延びる他に、更に該流路２４６ａ内の該複数のスポイラー区２４５ａが更に工作液体流動の速度を抑え、流動時間を延ばすことで、良好な放熱効果を有効に達成する。その他、前述の該第一、二蓋部品２１、２２及び該複数の放熱部品２４ａは同等もしくは異なる金属材質を交互に設置してもよい。
【実施例２】
【００３１】
図５、６Ａに示すのは、本考案の第二実施例の分解と組立立体の指示図であり、他に図６Ｂも参考とする。該当実施例の構造と連結関係及びその効果は、およそ前述の第一実施例と同じであるため、その点は重複説明しない。
該当実施例は主に前述の第一実施例の該複数の放熱部品２４ａ構造に更に少なくとも一連通槽２４３ａ及び複数の溝槽２４２ａを設置する。つまり該複数の放熱部品２４ａは前述の複数のスポイラー部２４４ａ、複数の溝槽２４２ａ、前述の複数の第一フィン部２４１ａを備え、更に少なくとも一連通槽２４３ａは該複数の溝槽２４２ａに連通する。該複数の溝槽２４２ａと該連通槽２４３ａは、各該放熱部品２４ａ上で穿設し、且つ該複数のスポイラー部２４４ａは各該溝槽２４２ａ内に設置する。該複数の放熱部品２４ａの該複数の溝槽２４２ａは、複数の流路２４６ａを重畳して成形し、該複数の放熱部品２４ａの該複数のスポイラー部２４４ａは各該流路２４６ａ内に複数のスポイラー区２４５ａを重畳して成形し、該複数の連通槽２４３ａは連通水路２４７ａを重畳して成形する。
該連通水路２４７ａは当実施例において該複数の流路２４６ａと互いに垂直排列で設置する。並びに該第一、二蓋部品２１、２２の一側は、それぞれ該水冷ラジエーター本体２４に対応する上側及び下側に連接し、該複数の流路２４６ａと該連通水路２４７ａの最上側と底側をシーリングする。
【００３２】
当実施例の前述の第一蓋部品２１は、主に前述の第一実施例の第一蓋部品２１構造に更に水路蓋部及び複数の第一流路蓋部２１１を備えて設置したもので、即ち該第一蓋部品２１は前述の複数の第二フィン部２１２、複数の第一流路蓋部２１１及び一第一水路蓋部２１３を備える。
該複数の第一流路蓋部２１１は該複数の流路２４６ａに対応し、且つ該複数の第一流路蓋部２１１と該第一水路蓋部２１３の一側は、それぞれ該水冷ラジエーター本体２４に対応する上側と相互に連接し、該流路２４６ａの最上側と該連通水路２４７ａの最上側に相対してシーリングする。
並びに、当実施例の第二蓋部品２２は、主に前述の第一実施例の第二蓋部品２２の構造に更に水路蓋部及び複数の第二流路蓋部２２１を備えて設置し、即ち、該第二蓋部品２２は前述の複数の第三フィン部２２２、複数の第二流路蓋部２２１及び一第二水路蓋部２２３を備え、該複数の第二流路蓋部２２１は該複数の流路２４６ａに対応し、該複数の第二流路蓋部２２１と該第二水路蓋部２２３の一側は、それぞれ該水冷ラジエーター本体２４に対応する下側と相互に連接し、該流路２４６ａの底側と該連通水路２４７ａの底側をシーリングする。
【００３３】
他に、第一結合部２５は、該第一蓋部品２１上か、もしくは該水冷ラジエーター本体２４の該連通水路２４７ａに対応する一側を選択して設置する。当実施例の第一結合部２５は該水冷ラジエーター本体２４の該連通水路２４７ａに対応する一側に成形し、且つ該第一結合部２５は該連通水路２４７ａに相対して連通し、また複数の第二結合部２６は該第一蓋部品２１上か、もしくは該複数の流路２４６ａの該連通水路２４７ａに遠い一端を選択して設置する。
当実施例の第二結合部２６は、該複数の流路２４６ａの該連通水路２４７ａに遠い一端箇所に成形し、且つ各該第二結合部２６は各該流路２４６ａに相対する一端に連通し、並びに該複数の流路２４６ａの別一端は該連通水路２４７ａに相対して連接して且つ連通する。該第一結合部２５を該連通水路２４７ａ及び該複数の流路２４６ａを通して該第二結合部２６に連通する。
実施例として、図７に示すとおり、前述の第一結合部２５と該複数の第二結合部２６は、選択設計で、該第一蓋部品２１上にそれぞれ設置する。即ち該第一結合部２５は該第一蓋部品２１の第一水路蓋部２１３上に設置し、該複数の第二結合部２６は該第一蓋部品２１の該複数の第一流路蓋部２１１の該第一水路蓋部２１３に遠い一端上に設置し、更に該第一結合部２５は第一導水孔２５１を備える。
該各第二結合部２６は第二導水孔２６１を備え、該第一導水孔２５１と各該第二導水孔２６１はそれぞれ該第一結合部２５及び各該第二結合部２６上に対応して貫通し、且つ該第一導水孔２５１と各該第二導水孔２６１はそれぞれ該連通水路２４７ａと各該流路２４６ａの一端に相対して連通し、該連通水路２４７ａは該複数の流路２４６ａに相対して連通する。
【００３４】
本考案を実際に実施する時、該第一結合部２５と該複数の第二結合部２６は、複数の導水管(図未提示)を通じて、それぞれ水冷ヘッド(図未提示)に対応する出口及び進入口と相互に連接し且つ連通する。該水冷ヘッドの一側を吸熱面として接触し、発熱部品(例として中央処理装置もしくはグラフィックスチップ)の熱量を吸収する。
その時、該水冷ヘッド内の工作液体は、前述の熱量を吸収し、並びに該水冷ヘッド内の一ポンプ（もしくは水冷ヘッド外付けのポンプ）によって熱量を伴った工作液体を移動させて該第一結合部２５を通過し、続けて該水冷ラジエーター本体２４の連通水路２４７ａ及び該複数の流路２４６ａ内に流れ、更に該複数の流路２４６ａに沿って該複数の流路２４６ａに相対する別一端方向へ流動すると同時に、該工作液体で吸収した熱量は該複数の第一、二、三フィン部２４１ａ、２１２、２２２上へ伝導し、該複数の第一、二、三フィン部２４１ａ、２１２、２２２を経て放熱し、続いて冷卻後の工作液体は次に該複数の第二結合部２６から排出回流到水冷ヘッド内へ排出して戻り、継続循環して水冷放熱効果を達成する。
【００３５】
本考案の該第一、二蓋部品２１、２２及び該複数の放熱部品２４ａを重畳連接して一体にする設計により、多元的で自在にデザインし、更に水冷ラジエーター構造全体２の構造強度を有効に高め、且つ熱伝導効率を有効に向上させる。
【符号の説明】
【００３６】
２          水冷ラジエーター構造
２１          第一蓋部品
２１１          第一流路蓋部
２１２          第二フィン部
２１３          第一水路蓋部
２２          第二蓋部品
２２１          第二流路蓋部
２２２          第三フィン部
２２３          第二水路蓋部
２４          水冷ラジエーター本体
２４ａ        放熱部品
２４１ａ        第一フィン部
２４２ａ        溝槽
２４３ａ        連通槽
２４４ａ        スポイラー部
２４５ａ        スポイラー区
２４６ａ        流路
２４７ａ        連通水路
２４８ａ        貫通孔部
２５          第一結合部
２５１          第一導水孔
２６          第二結合部
２６１          第二導水孔
【図１】
0003208561.tif 000003
【図２】
0003208561.tif 000004
【図２Ａ】
0003208561.tif 000005
【図２Ｂ】
0003208561.tif 000006
【図３Ａ】
0003208561.tif 000007
【図３Ｂ】
0003208561.tif 000008
【図４】
0003208561.tif 000009
【図５】
0003208561.tif 000010
【図６Ａ】
0003208561.tif 000011
【図６Ｂ】
0003208561.tif 000012
【図７】
0003208561.tif 000013